(57)【特許請求の範囲】
【請求項１】
複数のジャッキと、
前記複数のジャッキの接地状態を検知する接地検知器と、
前記複数のジャッキの動作を制御する制御装置と、を備え、
前記制御装置は、前記接地検知器により接地状態が検知された前記ジャッキの伸長動作を、接地状態の検知から前記ジャッキの作動本数に対応する遅延時間が経過した時に停止させ、
前記遅延時間は、前記ジャッキの作動本数に対応する前記ジャッキの目標伸長量に対する単位時間当たりの伸長割合に、該作動本数の状態での経過時間を乗算したものを、該作動本数ごとに積算した値が、前記目標伸長量と略等しくなる場合の、該作動本数ごとの経過時間の積算時間である
ことを特徴とする作業車両のジャッキ装置。
【請求項２】
複数のジャッキと、
前記複数のジャッキの接地状態を検知する接地検知器と、
前記複数のジャッキの動作を制御する制御装置と、を備え、
前記制御装置は、
予め、前記ジャッキの作動本数ごとに、前記ジャッキの目標伸長量に対する単位時間当たりの伸長割合が記憶されており、
前記接地検知器により接地状態が検知された前記ジャッキの伸長動作を、接地状態の検知から前記単位時間ごとに前記ジャッキの作動本数に対応する前記伸長割合を積算し、積算結果が１以上となった時に停止させる
ことを特徴とする作業車両のジャッキ装置。
【請求項３】
前記ジャッキは油圧シリンダで構成されており、
前記制御装置は、
前記ジャッキへの作動油の供給量を、前記接地検知器によりいずれか一のジャッキの接地状態が検知された時に低減する
ことを特徴とする請求項１または２記載の作業車両のジャッキ装置。
【請求項４】
前記ジャッキは油圧シリンダで構成されており、
前記制御装置は、
前記ジャッキへの作動油の供給量を、前記ジャッキの作動本数が減る時に低減する
ことを特徴とする請求項１、２または３記載の作業車両のジャッキ装置。
【発明の詳細な説明】
【技術分野】
【０００１】
本発明は、作業車両のジャッキ装置に関する。さらに詳しくは、作業車両の作業中の安定性を確保するためのジャッキ装置に関する。
【背景技術】
【０００２】
特許文献１には、軌道作業車のジャッキ装置が開示されている。この技術では、鉄輪がレール上に接触した状態のまま、ジャッキが接地状態に達したときにその伸長作動を停止させる。したがって、鉄輪とジャッキの両方で車体の重量を支持することとなり、しかも、車体の重量のほとんどを鉄輪によって受ける状態となる。
【０００３】
このような状態では、鉄輪よりも車体の外側に位置するジャッキに掛かる荷重が小さいため、ジャッキのみで車体の重量を支える場合よりも安定モーメントが小さくなる。その結果、作業車両の安定性に劣るという問題がある。
【先行技術文献】
【特許文献】
【０００４】
【特許文献１】特開平８−３０１５８６号公報
【発明の概要】
【発明が解決しようとする課題】
【０００５】
本発明は上記事情に鑑み、安定性の高い支持状態を得ることができる作業車両のジャッキ装置を提供することを目的とする。
【課題を解決するための手段】
【０００６】
第１発明の作業車両のジャッキ装置は、複数のジャッキと、前記複数のジャッキの接地状態を検知する接地検知器と、前記複数のジャッキの動作を制御する制御装置と、を備え、前記制御装置は、前記接地検知器により接地状態が検知された前記ジャッキの伸長動作を、接地状態の検知から前記ジャッキの作動本数に対応する遅延時間が経過した時に停止させ、前記遅延時間は、前記ジャッキの作動本数に対応する前記ジャッキの目標伸長量に対する単位時間当たりの伸長割合に、該作動本数の状態での経過時間を乗算したものを、該作動本数ごとに積算した値が、前記目標伸長量と略等しくなる場合の、該作動本数ごとの経過時間の積算時間であることを特徴とする。
第２発明の作業車両のジャッキ装置は、複数のジャッキと、前記複数のジャッキの接地状態を検知する接地検知器と、前記複数のジャッキの動作を制御する制御装置と、を備え、前記制御装置は、予め、前記ジャッキの作動本数ごとに、前記ジャッキの目標伸長量に対する単位時間当たりの伸長割合が記憶されており、前記接地検知器により接地状態が検知された前記ジャッキの伸長動作を、接地状態の検知から前記単位時間ごとに前記ジャッキの作動本数に対応する前記伸長割合を積算し、積算結果が１以上となった時に停止させることを特徴とする。
第３発明の作業車両のジャッキ装置は、第１または第２発明において、前記ジャッキは油圧シリンダで構成されており、前記制御装置は、前記ジャッキへの作動油の供給量を、前記接地検知器によりいずれか一のジャッキの接地状態が検知された時に低減することを特徴とする。
第４発明の作業車両のジャッキ装置は、第１、第２または第３発明において、前記ジャッキは油圧シリンダで構成されており、前記制御装置は、前記ジャッキへの作動油の供給量を、前記ジャッキの作動本数が減る時に低減することを特徴とする。
【発明の効果】
【０００７】
第１発明によれば、ジャッキの接地から停止までの遅延時間をジャッキの作動本数により変化させるので、全てのジャッキの接地からの伸長量を略同一にすることができる。そのため、作業車両の地切り高さを略均一にすることができ、安定性の高い支持状態を得ることができる。また、遅延時間が目標伸長量と伸長割合とから求められるので、ジャッキが接地してから停止するまでの間にジャッキの作動本数が変化しても、全てのジャッキの接地からの伸長量を略同一にすることができる。
第２発明によれば、単位時間ごとにジャッキの作動本数を確認しつつジャッキの停止を判断するので、複雑な演算を要することなく、ジャッキの停止のタイミングを決定することができる。
第３発明によれば、いずれか一のジャッキが接地した時にジャッキへの作動油の供給量を低減するので、全てのジャッキを伸長させる間は、ジャッキを高速で伸長させることができ、ジャッキアップにかかる時間を短くできる。また、ジャッキが接地した後は、ジャッキを低速で伸長させることができ、ジャッキの接地からの伸長量を精度よく制御することができる。
第４発明によれば、ジャッキへの作動油の供給量を、ジャッキの作動本数が減る時に低減するので、ジャッキの作動本数が少なくなってもジャッキを低速で伸長させることができ、ジャッキの接地からの伸長量を精度よく制御することができる。
【図面の簡単な説明】
【０００８】
【図１】本発明の一実施形態に係るジャッキ装置のブロック図である。
【図２】基本パターンのタイムチャートである。
【図３】同時接地パターンのタイムチャートである。
【図４】重畳パターンのタイムチャートである。
【図５】制御装置の処理を示すフローチャートである。
【図６】軌陸車の側面図である。
【図７】軌陸車の平面図である。
【図８】ジャッキ部分の油圧回路である。
【図９】ジャッキアップ状態における鉄輪とレールとの関係を示す説明図である。
【発明を実施するための形態】
【０００９】
つぎに、本発明の実施形態を図面に基づき説明する。
本発明に係る作業車両のジャッキ装置は、軌陸車、高所作業車、移動式クレーン車等の作業車両に設けられる。また、ジャッキの本数は、一般的には２本または４本であるが、２本以上であれば特に限定されない。以下では、４本のジャッキを備える軌陸車を例に説明するが、他の作業車両においても同様の構成で同様の効果を奏することができる。
【００１０】
なお、本明細書において、「ジャッキ」とは、例えば油圧シリンダで構成されたジャッキ装置の本体部分を意味する。また、「ジャッキ装置」とは、ジャッキとその周辺機器、例えばジャッキの接地状態を検知する接地検知器や、ジャッキの動作を制御する制御装置を含む意味である。
【００１１】
（軌陸車）
まず、軌陸車Ｘの構成について説明する。
図６および図７に示すように、軌陸車Ｘは軌道Ｒと道路Ｇの両方を走行できる作業車両である。図中、符号１０はシャシフレームであり、このシャシフレーム１０には走行用の駆動源（エンジン）や運転室等が設けられている。また、シャシフレーム１０の前後左右には、それぞれ道路Ｇ走行用のタイヤ１１が設けられている。シャシフレーム１０上にはサブフレーム１０ｓが設けられており、そのサブフレーム１０ｓには、各タイヤ１１の後方位置に軌道Ｒ走行用の鉄輪１２が設けられている。サブフレーム１０ｓ上には、旋回台１３を介して伸縮式のブーム１４が起伏自在に設けられており、ブーム１４の先端部には作業台１５が旋回自在に取り付けられている。
【００１２】
各鉄輪１２は鉄輪張出格納装置１６を介してサブフレーム１０ｓに設けられている。鉄輪張出格納装置１６は、サブフレーム１０ｓに揺動自在に枢支された揺動アームと、揺動アームを揺動させる油圧シリンダとからなる。揺動アームの先端側に油圧モータによって回転駆動される鉄輪１２が取り付けられている。上記揺動アームは、油圧シリンダの伸縮動作によって揺動され、鉄輪１２を下方へ張り出した張出位置（図６における実線）と、鉄輪１２をサブフレーム１０ｓ側に格納した格納位置（図６における二点鎖線）とで選択的に切り換えられる。
【００１３】
軌陸車Ｘが軌道Ｒを走行する場合には、鉄輪張出格納装置１６により鉄輪１２を下方へ張り出して、鉄輪１２を軌道Ｒに接地させタイヤ１１を浮上させる。一方、軌陸車Ｘが道路Ｇを走行する場合には、鉄輪１２を鉄輪張出格納装置１６によって引き上げてサブフレーム１０ｓ側に格納し、タイヤ１１を道路Ｇに接地させる。
【００１４】
サブフレーム１０ｓの前後左右には、鉄輪１２の近傍にジャッキ２１〜２４が設けられている。本実施形態の軌陸車Ｘには４本のジャッキ２１〜２４が備えられており、それぞれ右前ジャッキ２１、左前ジャッキ２２、右後ジャッキ２３、左後ジャッキ２４と称される。本実施形態では、ジャッキ２１〜２４は油圧シリンダで構成されている。これらのジャッキ２１〜２４を張り出すことで、軌陸車Ｘの重量を支え、作業中の安定性を確保することができる。
【００１５】
（油圧回路）
つぎに、ジャッキ２１〜２４を動作させるための油圧回路Ｃを説明する。
図８において、符号２１〜２４はジャッキであり、符号２５〜２８は各ジャッキ２１〜２４に対応して設けられたスライドシリンダである。スライドシリンダ２５〜２８の伸縮動作により、ジャッキ２１〜２４を車体に対して水平方向に張り出し、格納することができる。
【００１６】
また、符号４０はアウトリガ操作用バルブユニットである。アウトリガ操作用バルブユニット４０には、ジャッキ２１〜２４とスライドシリンダ２５〜２８の各組に対応して設けられ、作動油の供給先としてジャッキ２１〜２４またはスライドシリンダ２５〜２８を選択するための４個の電磁切換弁４１〜４４と、ジャッキ２１〜２４およびスライドシリンダ２５〜２８に共通に接続され、これらの伸縮動作の切り換えを行うための電磁切換弁４５とが備えられている。アウトリガ操作用バルブユニット４０のＰポートには、油圧ポンプ４６からの作動油が供給されており、Ｔポートから排出された作動油は作動油タンク４７に戻される。なお、Ｐポートと油圧ポンプ４６との間、およびＴポートと作動油タンク４７との間には、他の油圧機器が設けられてもよい。
【００１７】
（ジャッキ装置）
図１に示すように、本実施形態に係るジャッキ装置Ａは、上記ジャッキ２１〜２４の他、それらジャッキ２１〜２４の動作を制御する制御装置５０を備えている。制御装置５０は、ＣＰＵやメモリ、入出力装置等により構成された公知のコンピュータである。制御装置５０は上記油圧回路Ｃに接続されており、制御信号を出力して電磁切換弁４１〜４５の切り換え、油圧ポンプ４６の吐出量や回転数の変更を行うことで、ジャッキ２１〜２４の動作を制御する。
【００１８】
制御装置５０には、入力装置としてスイッチやボタン等が接続されている。また、入力装置として遠隔操作端末と通信可能としてもよい。このような入力装置で特定の操作をすることで、ジャッキ２１〜２４の自動張り出しを行うよう構成されている。
【００１９】
また、ジャッキ装置Ａには、各ジャッキ２１〜２４の接地状態（ジャッキ下端のフロートが地面に接触した状態）を検知する接地検知器３１〜３４が設けられている。接地検知器３１〜３４の検知結果は制御装置５０に入力されている。
【００２０】
接地検知器３１〜３４の構成は特に限定されないが、例えば、ジャッキ２１〜２４のサブフレーム１０ｓ側への取り付け部分にジャッキ伸長方向へのガタをもたせ、ジャッキ２１〜２４が接地した後さらに伸長して上記取り付け部分がガタの範囲内で上昇変位することをリミットスイッチで検知するよう構成される。また、ジャッキ２１〜２４のキャップ側油室（伸長動作側の油室）に接続された油路に圧力センサを設け、測定された圧力の上昇により接地状態を検知するよう構成してもよい。
【００２１】
軌陸車Ｘは、軌道Ｒ上における作業中でも、道路Ｇ上における作業中でも、ともにジャッキ２１〜２４によって車体を浮上させ支持する。ここで、軌道Ｒ上における作業中に鉄輪１２をレールｒから完全に浮かせると、ジャッキ２１〜２４の格納時に鉄輪１２がレールｒに戻らなくなる可能性がある。軌道Ｒの道床にはバラストが敷いてあり、この道床が傾斜している場合もある。ジャッキ２１〜２４を道床に接地させて作業を行うと、作業中の振動により車体全体が横ズレし、作業終了後にジャッキ２１〜２４を格納する際に、鉄輪１２の位置とレールｒの位置との間にズレが生じるためである。
【００２２】
そこで、図９に示すように、軌道Ｒ上における作業中には、鉄輪１２をレールｒから離間させつつ、その地切り高さｈ（レールｒの頭頂部と鉄輪１２の踏面との間の距離）を鉄輪１２のフランジ１２ｆの高さよりも低くして、フランジ１２ｆがレールｒに掛かった状態とする。このような状態とすることで、作業中の振動による車体の横ズレが制限され、鉄輪１２の位置とレールｒの位置との間にズレが生じなくなる。その結果、作業終了後にジャッキ２１〜２４を格納する際に、確実に鉄輪１２をレールｒに接地させることができる。
【００２３】
上記のように鉄輪１２の地切り高さｈを調整するには、ジャッキ２１〜２４の接地から伸長動作の停止までの間に遅延時間を設け、その遅延時間を調整することで実現できる。
【００２４】
しかし、ジャッキ２１〜２４が接地する道床のバラストの状況や道床の傾斜により、各ジャッキ２１〜２４の接地のタイミングは異なる。また、各ジャッキ２１〜２４の伸長開始時の伸縮状況も異なる場合があるため、これによっても各ジャッキ２１〜２４の接地のタイミングが異なる。そのため、全てのジャッキ２１〜２４の伸長動作を同時に停止させると、各鉄輪１２の地切り高さｈにバラつきが生じる。各鉄輪１２の地切り高さｈを均一にするには、各ジャッキ２１〜２４の停止のタイミングをそれぞれ判断する必要がある。各ジャッキ２１〜２４の接地のタイミングが異なる場合には、停止のタイミングも異なることとなる。そうすると、いずれか一のジャッキ２１〜２４が接地してから全てのジャッキ２１〜２４が停止するまでの期間では、ジャッキ２１〜２４の作動本数が徐々に減少することになる。
【００２５】
図８に示すように、全てのジャッキ２１〜２４は共通の油圧ポンプ４６から供給される作動油で動作する。そのため、作動油の供給量が一定である場合、ジャッキ２１〜２４の作動本数によって単位時間当たりの伸長量（伸長速度）が異なる。例えば、４本のジャッキ２１〜２４が作動している場合には、その４本のジャッキ２１〜２４に作動油が分散されて供給されるため、単位時間当たりの伸長量が短くなる（伸長速度が遅くなる）。一方、３本のジャッキ２１〜２３が停止し、残り１本のジャッキ２４が作動している場合には、その１本のジャッキ２４に全ての作動油が供給されるため、単位時間当たりの伸長量が長くなる（伸長速度が速くなる）。
【００２６】
以上のように、ジャッキ２１〜２４の作動本数によって、単位時間当たりの伸長量（伸長速度）が異なることから、全てのジャッキ２１〜２４の遅延時間を同一とすると、各ジャッキ２１〜２４の接地後の伸長量にバラつきがでることになり、ひいては各鉄輪１２の地切り高さｈにバラつきがでることになる。
【００２７】
鉄輪１２のフランジ１２ｆの一般的な高さは約20〜30mmであり、鉄輪１２の地切り高さｈも約20〜30mm以内に制御することが求められる。このように、目標とする地切り高さｈが低いことから、その制御には精度が求められ、上記に説明したような地切り高さｈのバラつきを抑える必要がある。
【００２８】
本実施形態では、ジャッキ２１〜２４の作動本数によって遅延時間を変化させることで、上記地切り高さｈのバラつきを抑えるところに特徴を有する。以下、３つのパターンに分けてその詳細を説明する。
【００２９】
（基本パターン）
まず、基本パターンを説明する。
制御装置５０は、入力装置の特定の操作により、ジャッキ２１〜２４の自動張り出しを開始する。すなわち、全てのジャッキ２１〜２４の伸長動作を開始する。
【００３０】
そして、制御装置５０は、以下のタイミングで各ジャッキ２１〜２４の伸長動作を停止させる。すなわち、接地検知器３１〜３４により接地状態が検知されたジャッキ２１〜２４の伸長動作を、接地状態の検知からジャッキ２１〜２４の作動本数に対応する遅延時間が経過した時に停止させる。換言すれば、ジャッキ２１〜２４の伸長動作を、その接地から所定の遅延時間が経過した時に停止させるのであるが、その遅延時間をジャッキ２１〜２４の作動本数によって変化させるのである。
【００３１】
「遅延時間」は、ジャッキ２１〜２４の作動本数ごとに、その遅延時間におけるジャッキ２１〜２４の伸長量が略同一となるように設定されている。また、その伸長量が目標伸長量（本実施形態では地切り高さｈ）と略同一となるように設定される。ジャッキ２１〜２４への作動油の供給量が一定である場合、ジャッキ２１〜２４の作動本数が多いほど伸長速度が遅く、作動本数が少ないほど伸長速度が速くなる。そのため、ジャッキ２１〜２４の作動本数が多いほど遅延時間を長く設定し、作動本数が少ないほど遅延時間を短く設定する。
【００３２】
ジャッキ２１〜２４の作動本数が４本の場合のジャッキ２１〜２４の作動速度をＳ４、３本の場合の作動速度をＳ３、２本の場合の作動速度をＳ２、１本の場合の作動速度をＳ１とすると、ジャッキ２１〜２４への作動油の供給量が一定である場合、理想的にはＳ４：Ｓ３：Ｓ２：Ｓ１＝１／４：１／３：１／２：１の関係が成り立つ。
【００３３】
そのため、ジャッキ２１〜２４の作動本数が４本の場合の遅延時間をＴ４、３本の場合の遅延時間をＴ３、２本の場合の遅延時間をＴ２、１本の場合の遅延時間をＴ１とすると、理想的には、Ｔ４：Ｔ３：Ｔ２：Ｔ１＝４：３：２：１の関係が成り立つように遅延時間を設定することで、その遅延時間におけるジャッキ２１〜２４の伸長量が同一となる。ただし、実際には、制御機器や油圧回路のタイムラグにより上記理想的な値からは外れる場合が多い。そのため、各遅延時間Ｔ４、Ｔ３、Ｔ２、Ｔ１は、実験値等から求めることが好ましい。
【００３４】
図２に示すように、基本パターンは、各ジャッキ２１〜２４の接地から停止までの期間が重ならずに順に生じるパターンである。図２に示す例では、制御装置５０は以下のように制御を行う。
【００３５】
まず、制御装置５０は、全てのジャッキ２１〜２４を伸長動作させる。
右前接地検知器３１により右前ジャッキ２１の接地状態が検知されると、右前ジャッキ２１の伸長動作を、その接地状態の検知から遅延時間Ｔ４が経過した時に停止させる。遅延時間Ｔ４はジャッキ２１〜２４の作動本数（４本）に対応する遅延時間である。ここで、ジャッキ２１〜２４の作動本数は、対象のジャッキ２１の接地から停止までの期間における作動本数で判断される。
【００３６】
つぎに、左前接地検知器３２により左前ジャッキ２２の接地状態が検知されると、左前ジャッキ２２の伸長動作を、その接地状態の検知からジャッキ２１〜２４の作動本数（３本）に対応する遅延時間Ｔ３が経過した時に停止させる。
【００３７】
つぎに、右後接地検知器３３により右後ジャッキ２３の接地状態が検知されると、右後ジャッキ２３の伸長動作を、その接地状態の検知からジャッキ２１〜２４の作動本数（２本）に対応する遅延時間Ｔ２が経過した時に停止させる。
【００３８】
最後に、左後接地検知器３４により左後ジャッキ２４の接地状態が検知されると、左後ジャッキ２４の伸長動作を、その接地状態の検知からジャッキ２１〜２４の作動本数（１本）に対応する遅延時間Ｔ１が経過した時に停止させる。
【００３９】
なお、ジャッキ２１〜２４の接地の順番が異なる場合でも、上記と同様の制御が行われる。
【００４０】
以上のように、ジャッキ２１〜２４の接地から停止までの遅延時間をジャッキ２１〜２４の作動本数により変化させ、しかも、ジャッキ２１〜２４の作動本数ごとに伸長量が略同一となるように遅延時間が設定されているので、全てのジャッキ２１〜２４の接地からの伸長量を略同一にすることができる。そのため、鉄輪１２の地切り高さｈを略均一にすることができ、安定性の高い支持状態を得ることができる。
【００４１】
（同時接地パターン）
つぎに、同時接地パターンを説明する。
図３に示すように、同時接地パターンは、複数のジャッキ２１〜２４が同時に接地するパターンである。図３に示す例は、右前ジャッキ２１と左前ジャッキ２２が同時に接地する場合である。この場合、制御装置５０は以下のように制御を行う。
【００４２】
まず、制御装置５０は、全てのジャッキ２１〜２４を伸長動作させる。
右前接地検知器３１により右前ジャッキ２１の接地状態が検知されると同時に、左前接地検知器３２により左前ジャッキ２２の接地状態が検知される。そうすると、右前ジャッキ２１および左前ジャッキ２２の両方の伸長動作を、それらの接地状態の検知から遅延時間Ｔ４が経過した時に停止させる。遅延時間Ｔ４はジャッキ２１〜２４の作動本数（４本）に対応する遅延時間である。ここで、ジャッキ２１〜２４の作動本数は、対象のジャッキ２１、２２の接地から停止までの期間における作動本数で判断される。このように、右前ジャッキ２１も左前ジャッキ２２も、同じ遅延時間Ｔ４とするのである。その後の右後ジャッキ２３および左後ジャッキ２４の制御は、基本パターンと同様である。
【００４３】
なお、同時に接地した２本のジャッキ２１、２２の接地から停止までの期間における作動本数が３本である場合（１本のジャッキ２３が停止した後にジャッキ２１、２２が接地した場合）は、遅延時間をＴ３とする。また、作動本数が２本である場合（２本のジャッキ２３、２４が停止した後にジャッキ２１、２２が接地した場合）は、遅延時間をＴ２とする。
【００４４】
３本のジャッキ２１〜２４が同時に接地した場合や、４本のジャッキ２１〜２４が同時に接地した場合も同様の制御が行われる。同時に接地した３本のジャッキ２１〜２３の接地から停止までの期間における作動本数が４本である場合は、その３本のジャッキ２１〜２３の遅延時間をＴ４とする。作動本数が３本である場合（１本のジャッキ２４が停止した後に、３本のジャッキ２１〜２３が接地した場合）は、その３本のジャッキ２１〜２３の遅延時間をＴ３とする。４本のジャッキ２１〜２４が同時に接地した場合は、作動本数が４本であるので、遅延時間をＴ４とする。
【００４５】
このように、複数のジャッキ２１〜２４が同時に接地した場合でも、ジャッキ２１〜２４の作動本数により遅延時間を変更する点で基本パターンと変わるところはない。同時に接地した複数のジャッキ２１〜２４を、同じ遅延時間が経過した後に停止させるのである。
【００４６】
（重畳パターン）
つぎに、重畳パターンを説明する。
図４に示すように、重畳パターンは、ジャッキ２１〜２４が接地してから停止するまでの期間にジャッキ２１〜２４の作動本数が変化するパターンである。図４に示す例は、左前ジャッキ２２が接地してから停止するまでの間に右前ジャッキ２１が停止する場合である。この場合、制御装置５０は以下のように制御を行う。
【００４７】
まず、制御装置５０は、全てのジャッキ２１〜２４を伸長動作させる。
右前接地検知器３１により右前ジャッキ２１の接地状態が検知されると、右前ジャッキ２１の伸長動作を、その接地状態の検知からジャッキ２１〜２４の作動本数（４本）に対応する遅延時間Ｔ４が経過した時に停止させる。
【００４８】
右前ジャッキ２１の伸長動作が停止する前に、左前接地検知器３２により左前ジャッキ２２の接地状態が検知されたとする。そうすると、左前ジャッキ２２が接地してから停止するまでの期間（左前ジャッキ２２が目標伸長量ｈまで伸長するのに要する期間）の途中で右前ジャッキ２１の伸長動作が停止することとなる。すなわち、左前ジャッキ２２が接地してから停止するまでの期間Ｔは、作動本数が４本の期間ｔ４と、３本の期間ｔ３とからなる。
【００４９】
ジャッキ２１〜２４の作動本数が４本の場合の目標伸長量ｈに対する単位時間当たりの伸長量の割合（伸長割合）をＲ４、作動本数が３本の場合の伸長割合をＲ３とする。伸長割合Ｒ４、Ｒ３は、例えば１０％や２０％等の値である。この場合、ｔ４およびｔ３が下記数１を満たせば、左前ジャッキ２２の伸長量が目標伸長量ｈと等しくなる。このうち、ｔ４は、対象のジャッキ２２が接地してから作動本数が３本に減るまでの時間として決められる。したがって、数１よりｔ３を求めることができる。
【数１】
0006366397.tif 000002
【００５０】
数２に示すように、左前ジャッキ２２の遅延時間Ｔを、ｔ４とｔ３の積算時間とすれば、左前ジャッキ２２を目標伸長量ｈまで伸長させることができる。
【数２】
0006366397.tif 000003
【００５１】
上記では、対象のジャッキ２２が接地してから停止するまでの期間において、作動本数が４本から３本に変化する場合を説明した。しかし、作動本数や、作動本数が変化するタイミング、変化の回数には、種々のパターンがある。これらのパターンを含めて一般化すれば、以下のとおりである。
【００５２】
Ｎ本のジャッキを備える作業車両において、ジャッキの作動本数ｎに対応するジャッキの目標伸長量ｈに対する単位時間当たりの伸長割合をＲｎ（ｎ＝１、・・・、Ｎ）とする。また、対象のジャッキが接地してから停止するまでの期間において、ジャッキの作動本数ｎの状態での経過時間をｔｎ（ｎ＝１、・・・、Ｎ）とする。この場合、下記数３を満たせば、対象のジャッキの伸長量が目標伸長量ｈと等しくなる。
【数３】
0006366397.tif 000004
【００５３】
そして、数４で示すように、対象のジャッキの遅延時間Ｔを、経過時間ｔｎの積算時間とすれば、対象のジャッキを目標伸長量ｈまで伸長させることができる。
【数４】
0006366397.tif 000005
【００５４】
なお、特許請求の範囲に記載の「前記ジャッキの作動本数に対応する前記ジャッキの目標伸長量に対する単位時間当たりの伸長割合」はＲｎに相当し、「該作動本数の状態での経過時間」はｔｎに相当し、「前記ジャッキの作動本数に対応する前記ジャッキの目標伸長量に対する単位時間当たりの伸長割合に、該作動本数の状態での経過時間を乗算したもの」はＲｎ×ｔｎに相当する。さらに、特許請求の範囲に記載の「前記ジャッキの作動本数に対応する前記ジャッキの目標伸長量に対する単位時間当たりの伸長割合に、該作動本数の状態での経過時間を乗算したものを、該作動本数ごとに積算した値」は数３の右辺に相当し、「前記目標伸長量と略等しくなる場合」は数３を満たす場合に相当する。そして、特許請求の範囲に記載の「該作動本数ごとの経過時間の積算時間」は数４の右辺に相当する。
【００５５】
このように、遅延時間が目標伸長量と伸長割合とから求められるので、ジャッキが接地してから停止するまでの間にジャッキの作動本数が変化しても、全てのジャッキの接地からの伸長量を略同一にすることができる。
【００５６】
（制御方法）
上記では、現象面から３つのパターンに分けて制御方法を説明した。上記のパターンを実現できれば、その具体的な制御方法は特に限定されないが、例えば、以下の制御方法を採用することにより、全てのパターンに対応することができる。
【００５７】
予め、制御装置５０のメモリに、ジャッキの作動本数ｎごとに、ジャッキの目標伸長量ｈに対する単位時間当たりの伸長割合Ｒｎを記憶しておく。ここで、単位時間を制御装置５０の制御周期Ｔｃとし、作動本数ｎの場合にジャッキが目標伸長量ｈまで伸長するのに要する時間をＴｎとすると、伸長割合Ｒｎは下記数５で表される。なお、制御周期Ｔｃは、Ｔｎに対して十分に小さいものとする。
【数５】
0006366397.tif 000006
【００５８】
ジャッキの作動本数ｎが多いほどジャッキの伸長速度は遅くなり、Ｔｎが長くなるため、伸長割合Ｒｎは小さくなる。逆に、ジャッキの作動本数ｎが少ないほどジャッキの伸長速度は速くなり、Ｔｎが短くなるため、伸長割合Ｒｎは大きくなる。なお、伸長割合Ｒｎは実験値等から求めることが好ましい。
【００５９】
制御装置５０は、入力装置の特定の操作により、ジャッキの自動張り出しを開始する。すなわち、全てのジャッキの伸長動作を開始する。つづいて、制御装置５０は、ジャッキのそれぞれに対して平行して、図５に示すフローチャートに従って処理を行う。
【００６０】
まず、制御装置５０は、現在伸長割合Ｒに０を代入して初期化する（ステップＳ１）。ここで、現在伸長割合Ｒはジャッキの目標伸長量ｈに対する現在の伸長割合（０〜１００％）を意味する。つぎに、対象のジャッキに対応する接地検知器により接地状態が検知されるまで待つ（ステップＳ２）。すなわち、対象のジャッキが接地するまで待つ。
【００６１】
対象のジャッキの接地状態が検知されると、下記のステップＳ３からステップＳ５のループを開始する。
【００６２】
制御装置５０は、メモリから現在のジャッキの作動本数ｎを取得する（ステップＳ３）。なお、メモリには、予め作動本数ｎの初期値としてジャッキの総数Ｎが記憶されている。したがって、いずれのジャッキも停止していない場合には、作動本数ｎとしてジャッキの総数Ｎが取得されることになる。
【００６３】
つぎに、制御装置５０は、メモリからジャッキの作動本数ｎに対応する伸長割合Ｒｎを取得し、それを現在伸長割合Ｒに加算する（ステップＳ４）。そして、加算結果である現在伸長割合Ｒが１（＝１００％）以上となったか否かを判断し（ステップＳ５）、超えていない場合には再びステップＳ３に戻る。
【００６４】
上記ステップＳ３からステップＳ５までの処理を、制御装置５０の制御周期（単位時間）ごとに繰り返し行う。メモリに記憶された作動本数ｎは、平行している他のジャッキの処理でも共通して参照される。そのため、平行しているいずれかの処理において、後述のステップＳ７で作動本数ｎの書き換えが行われた場合には、他の処理においても作動本数ｎが変更される。
【００６５】
対象のジャッキの接地以降は、制御周期ごとにジャッキの作動本数ｎに対応する伸長割合Ｒｎを積算することになる。この間、ジャッキの作動本数ｎが変化すれば、積算する伸長割合Ｒｎも変化することになる。そのため、対象のジャッキが接地してから停止するまでの期間に、ジャッキの作動本数が変化しても、現在伸長割合Ｒを現実に則した値にすることができる。
【００６６】
ステップＳ５において、積算結果である現在伸長割合Ｒが１以上となった場合、対象のジャッキの伸長量が目標伸長量ｈに達したこととなる。そこで、制御装置５０は、対象のジャッキの伸縮動作を停止させる（ステップＳ６）。そして、メモリに記憶されているジャッキの作動本数ｎを１減算して、実際のジャッキの作動本数とメモリに記憶されている作動本数ｎとを一致させる（ステップＳ７）。
【００６７】
以上の処理を、全てのジャッキのそれぞれに対して平行して実行することで、全てのパターンに対応しつつ各ジャッキの伸長量を目標伸長量ｈとすることができる。
【００６８】
以上の制御方法によれば、単位時間ごとにジャッキの作動本数を確認しつつジャッキの停止を判断するので、複雑な演算を要することなく、ジャッキの停止のタイミングを決定することができる。
【００６９】
（作動油供給量制御）
上記の制御に加えて、ジャッキへの作動油の供給量を制御するように構成してもよい。例えば、接地検知器によりいずれか一のジャッキの接地状態が検知された時に、ジャッキへの作動油の供給量を低減してもよい。
【００７０】
このように作動油の供給量を制御することで、全てのジャッキを伸長させる間は、作動油の供給量を多くしてジャッキを高速で伸長させることができ、ジャッキアップにかかる時間を短くできる。また、いずれか一のジャッキが接地した後は、作動油の供給量を少なくすることでジャッキを低速で伸長させることができる。そうすると、ジャッキの停止のタイミングを正確に判断することができ、ジャッキの接地からの伸長量を精度よく制御することができる。
【００７１】
作動油の供給量の低減方法は特に限定されないが、油圧ポンプ４６の回転数を落とす方法や、油圧ポンプ４６として可変吐出量形油圧ポンプを採用して吐出量を低減する方法、流量制御弁を用いる方法のほか、電磁切換弁４５を作動油の流れを許容する位置と停止する位置とで繰り返し切り換えることで、ジャッキへの作動油の供給量を実質的に低減する方法を採用してもよい。
【００７２】
また、ジャッキへの作動油の供給量を、ジャッキの作動本数が減る時に低減してもよい。「ジャッキの作動本数が減る時」には、「ジャッキの作動本数が減るたび」のほか、「ジャッキの作動本数が所定の本数に減った時」も含まれる。
【００７３】
作動油の供給量が一定である場合、ジャッキの作動本数が少なくなるほど、伸長速度が速くなる。しかし、上記のように制御することで、ジャッキの作動本数が少なくなってもジャッキを低速で伸長させることができ、ジャッキの接地からの伸長量を精度よく制御することができる。
【００７４】
（遅延時間調整）
制御装置５０に設けられた入力装置を操作する等により、前記遅延時間を調整可能としてもよい。ジャッキが目標伸長量ｈまで伸長するのに要する時間は、機体の個体差や、気温（特に、作動油温度）によって異なる。遅延時間を調整可能とすることで、個体差を吸収することができ、気温の変化にも対応できる。
【００７５】
さらに、作動油の温度を検出する油温検出器を設け、油温検出器による測定結果を基に遅延時間を自動で変更するようにしてもよい。例えば、予め、複数の温度帯に対応する遅延時間を記憶しておき、油温検出器の測定結果から対応する遅延時間を選択するよう構成すればよい。このような構成とすれば、使用者が意識することなく、気温の影響を考慮した最適な遅延時間とすることができる。
【００７６】
なお、遅延時間の調整は、遅延時間を直接調整するほか、前記伸長割合を調整するなど、間接的に調整してもよい。
【符号の説明】
【００７７】
Ａ          ジャッキ装置
Ｃ          油圧回路
Ｘ          軌陸車
１０        シャシフレーム
１０ｓ      サブフレーム
１１        タイヤ
１２        鉄輪
１２ｆ      フランジ
１３        旋回台
１４        ブーム
１５        作業台
１６        鉄輪張出格納装置
２１〜２４  ジャッキ
３１〜３４  接地検知器
４０        アウトリガ操作用バルブユニット
４１〜４５  電磁切換弁
４６        油圧ポンプ
４７        作動油タンク
５０        制御装置
【図１】
0006366397.tif 000007
【図２】
0006366397.tif 000008
【図３】
0006366397.tif 000009
【図４】
0006366397.tif 000010
【図５】
0006366397.tif 000011
【図６】
0006366397.tif 000012
【図７】
0006366397.tif 000013
【図８】
0006366397.tif 000014
【図９】
0006366397.tif 000015